(57)【要約】【課題】Ｘ線診断装置において、検査種別に応じたグリッドに関するグリッド識別情報を簡易で安価な方法で検査者に報知すること。【解決手段】Ｘ線診断装置１は、Ｘ線を照射するＸ線源と、Ｘ線を検出するＸ線検出器と、Ｘ線検出器の前段に取り外し可能にセットされるグリッドと、を備える撮影装置本体と、検査に関する検査種別情報に応じたグリッドに関するグリッド識別情報を決定するグリッド識別情報決定手段４４と、グリッド識別情報を、報知部２１を介して報知させる報知制御手段４５と、撮影装置本体の動作を制御して検査を実行する検査実行手段４６と、を有する。【選択図】  図１０
2016000162.tif 000002
【特許請求の範囲】
【請求項１】
Ｘ線を照射するＸ線源と、前記Ｘ線を検出するＸ線検出器と、前記Ｘ線検出器の前段に取り外し可能にセットされるグリッドと、を備える撮影装置本体と、
検査に関する検査種別情報に応じたグリッドに関するグリッド識別情報を決定するグリッド識別情報決定手段と、
前記グリッド識別情報を報知する報知手段と、
前記撮影装置本体の動作を制御して前記検査を実行する検査実行手段と、
を有するＸ線診断装置。
【請求項２】
前記報知手段は、表示部の画面に、前記検査に対応するグリッド識別情報を表現する色彩を、表示部の画面を介して報知する請求項１に記載のＸ線診断装置。
【請求項３】
前記報知手段は、前記グリッド識別情報を表現する色彩を、前記Ｘ線管を含む筐体上の第１報知部と、前記グリッドを含む複数のグリッドを収納可能なグリッド収納部上の第２報知部との少なくとも１を介して報知する請求項１又は２に記載のＸ線診断装置。
【請求項４】
前記グリッド識別情報決定手段は、複数の検査種別情報の各検査種別情報にグリッド識別情報が対応付けられてなる初期情報から、前記検査に関する検査種別情報に応じたグリッド識別情報を取得する請求項１乃至３のうちいずれか一項に記載のＸ線診断装置。
【請求項５】
前記検査種別情報と、複数の検査種別情報の各検査種別情報に、入力部によって入力されたグリッドに関するグリッド識別情報と、その入力者の検査者識別情報とが対応づけられてなる学習情報を登録する学習情報登録手段をさらに有し、
前記グリッド識別情報決定手段は、前記学習情報が所要の検査者と前記検査に関する検査種別情報とに対応するグリッド識別情報を含む場合、前記学習情報から当該グリッド識別情報を取得する請求項４に記載のＸ線診断装置。
【請求項６】
前記検査種別情報を、被検体の年齢、身長、体重、検査部位、及びＳＩＤのうち少なくとも１つとする請求項１乃至５のうちいずれか一項に記載のＸ線診断装置。
【請求項７】
立位撮影台に支持され、前記Ｘ線検出器を内蔵する立位検出器ユニットをさらに有し、
前記立位検出器ユニットの前面であって、前記立位検出器ユニットにセットされたグリッドの一部が、外部から視認できる位置に窓部が形成される請求項１乃至６のうちいずれか一項に記載のＸ線診断装置。
【請求項８】
臥位撮影台に支持され、前記Ｘ線検出器を内蔵する臥位検出器ユニットをさらに有し、
前記臥位検出器ユニットの側面であって、前記臥位検出器ユニットにセットされたグリッドの一部が、外部から視認できる位置に窓部が形成される請求項１乃至６のうちいずれか一項に記載のＸ線診断装置。
【発明の詳細な説明】
【技術分野】
【０００１】
本発明の実施形態は、Ｘ線撮影に使用されるＸ線診断装置に関する。
【背景技術】
【０００２】
Ｘ線診断装置は、被検体にＸ線を照射し、透過Ｘ線をＸ線検出器で検出することで被検体のＸ線信号を得る。そして、画像処理部でＸ線信号を処理することにより、表示部に透過Ｘ線画像を表示する。一般的なＸ線診断装置では、Ｘ線検出器を立位撮影台及び臥位撮影台に組み合わせたシステムが知られており、天井に設けられた稼動式の支持器を用いてＸ線管を懸垂し、操作部により立位撮影台又は臥位撮影台に対して適切な撮影位置に移動、回転させて撮影を行なっている。
【０００３】
Ｘ線診断装置は、Ｘ線検出器としてＦＰＤ（ｆｌａｔ  ｐａｎｅｌ  ｄｅｔｅｃｔｏｒ）を備える。Ｘ線診断装置では、散乱Ｘ線がＦＰＤに入射して画像の鮮明度を低下させるのを防ぐためにＦＰＤの前面に散乱Ｘ線除去用のグリッドを設置する技術が開示される（例えば、特許文献１参照）。この技術によれば、Ｘ線診断装置を用いるＸ線検査前に、検査種別に応じたグリッドを選択するために、検知手段によってＦＰＤの前面に設置されたグリッドの種別を検知し、検知されたグリッドの種別が検査に不適切である場合に、グリッド交換の必要性と、適正なグリッドの種別とを技師などの検査者に通知する。
【０００４】
また、複数種類のグリッド、又は、グリッドなしで適切な画像処理を実行する技術が開示される（例えば、特許文献２参照）。
【先行技術文献】
【特許文献】
【０００５】
【特許文献１】特開２００６−１０１９６３号公報
【特許文献２】特開２０００−８３９５１号公報
【発明の概要】
【発明が解決しようとする課題】
【０００６】
特許文献１の技術を、グリッドの種別を検知する検知手段を備えていない検出器ユニットに新たに適用する場合、検出器ユニットを加工して検知手段を追加搭載させなければならず、また、検知手段の検知信号を処理するためのソフトウェアも増設する必要がある。よって、特許文献１の技術を適用のためには、大きなコストが発生する。また、特許文献１の技術において新しいグリッドを追加したい場合には、当該グリッドを検知するために検知手段の仕様の変更（アップグレード）が必要となり、当該グリッドを収納するための収容部や、収容部に収容された当該グリッドを検知するための検知手段の追加が必要となる。よって、特許文献１の技術において新しいグリッドを追加する場合に、大きなコストが発生する。
【０００７】
また、特許文献２によると、検査種別に応じたグリッドの選択を未だ技師の経験に頼っているので、同一の検査種別であっても技師間におけるグリッドの選択にばらつきが生じている。また、技師によるグリッドの選択ミスに起因する再検査によって不要曝射が生じる可能性がある。
【課題を解決するための手段】
【０００８】
本実施形態に係るＸ線診断装置は、上述した課題を解決するために、Ｘ線を照射するＸ線源と、前記Ｘ線を検出するＸ線検出器と、前記Ｘ線検出器の前段に取り外し可能にセットされるグリッドと、を備える撮影装置本体と、検査に関する検査種別情報に応じたグリッドに関するグリッド識別情報を決定するグリッド識別情報決定手段と、前記グリッド識別情報を報知する報知手段と、前記撮影装置本体の動作を制御して前記検査を実行する検査実行手段と、を有する。
【図面の簡単な説明】
【０００９】
【図１】本実施形態に係るＸ線診断装置の一部構成を示す外観図。
【図２】本実施形態に係るＸ線診断装置の全体構成図。
【図３】グリッドの構成例を示す図。
【図４】立位検出器ユニットの構造例を示す図。
【図５】グリッドの構成例を示す図。
【図６】臥位検出器ユニットの構造例を示す図。
【図７】（ａ）〜（ｃ）は、Ｘ線管筐体上の報知部の構成例を示す図。
【図８】表示部の画面上に配置される報知部の構成例を示す図。
【図９】初期情報の一例を示す図。
【図１０】本実施形態に係るＸ線診断装置の機能を示すブロック図。
【図１１】学習情報の一例を示す図。
【図１２】本実施形態に係るＸ線診断装置の動作を示すフローチャート。
【発明を実施するための形態】
【００１０】
本実施形態に係るＸ線診断装置について、添付図面を参照して説明する。
【００１１】
本実施形態に係るＸ線診断装置は、立位検査及び臥位検査を兼用する装置として説明されるが、立位検査及び臥位検査の一方のみを備える装置の場合であってもよい。
【００１２】
図１は、本実施形態に係るＸ線診断装置の一部構成を示す外観図である。図２は、本実施形態に係るＸ線診断装置の全体構成図である。
【００１３】
図１及び図２は、本実施形態に係るＸ線診断装置１を示す。そのＸ線診断装置１は、撮影装置本体１０及び画像処理装置（コンソール）３０を備える。撮影装置本体１０は、検査室に備えられる一方、画像処理装置３０は、検査室に隣接する制御室に備えられる。
【００１４】
撮影装置本体１０は、Ｘ線管筐体１１、立位撮影台１２、立位検出器ユニット１３、臥位撮影台１４、臥位検出器ユニット１５、天井レール１６、台車部１７、支柱部１８、高電圧発生装置１９、グリッド収納部（グリッドホルダ）２０、報知部２１、撮影コントローラ２２、及びＡＤ（ａｎａｌｏｇ  ｔｏ  ｄｉｇｉｔａｌ）変換装置２３を備える。
【００１５】
Ｘ線管筐体１１は、Ｘ線管１１ａを内蔵する。Ｘ線管１１ａは、高電圧発生装置１９から電力供給を受けて、立位撮影台１２の前、又は、臥位撮影台１４の上に配置された患者の撮影部位（被検体）にＸ線を照射する。Ｘ線管筐体１１は−１８０°〜＋１８０°の範囲で支柱部１８に対して回転可能である。Ｘ線管筐体１１は、画像処理装置３０のメイン制御装置３１による制御の下、支柱部１８の上下方向の伸縮に従って高さが変更される。
【００１６】
立位撮影台１２は、Ｘ線管筐体１１に対向する位置に鉛直向きに配置される。
【００１７】
立位検出器ユニット１３は、立位撮影台１２によって支持される。立位検出器ユニット１３は、立位の患者からの透過Ｘ線を検出して画像データとして出力するＦＰＤ（図示しない）を含むＸ線検出器（立位検出器）１３ａを内蔵し、散乱線を除去する第ｎ（ｎ＝１，２，…，Ｎ）のグリッドＧｎ（図３に図示）を立位検出器１３ａの前面にセット可能な構造を有する。立位検出器ユニット１３は、画像処理装置３０のメイン制御装置３１による制御の下、Ｘ線管筐体１１の高さの変更に従って、立位撮影台１２に沿って高さが変更される。
【００１８】
図３は、グリッドＧｎの構成例を示す図である。
【００１９】
図３は、異なるＮ個のグリッドＧ１〜ＧＮ上の略同位置に、グリッドＧｎに対応するグリッド識別情報Ｓｎがそれぞれ付与される例を示す。図３では、グリッドＧ１の前面にグリッド識別情報Ｓ１を表現する青色シールが付与され、グリッドＧ２の前面にグリッド識別情報Ｓ２を表現する赤色シールが付与され、グリッドＧ３の前面にグリッド識別情報Ｓ３を表現する緑色シールが付与される。
【００２０】
図４は、立位検出器ユニット１３の構造例を示す図である。
【００２１】
また、図４に示すように、立位検出器ユニット１３は、立位検出器１３ａを内蔵し、グリッドＧｎをセット可能な構造を有する。立位検出器ユニット１３の前面（Ｘ線照射面）に窓部Ｐが設けられる。そして、窓部Ｐは、立位検出器ユニット１３にセットされたグリッドＧｎの一部が、窓部Ｐを介して外部から視認できる位置に形成される。図４では、グリッド識別情報Ｓ１を表現する青色シールが付与された、図３に示すグリッドＧ１が立位検出器ユニット１３にセットされ、グリッドＧ１の青色シールが外部から視認できる位置に窓部Ｐが形成されている例を示す。なお、窓部Ｐは、四角形状に限定されるものではなく、また、立位検出器ユニット１３の縁部から切れ込まれるものであってもよい。
【００２２】
図１及び図２の説明に戻って、臥位撮影台１４は、患者を載置可能なように横向きに配置される。臥位撮影台１４は、画像処理装置３０のメイン制御装置３１による制御の下、上部に備えられる天板（図示しない）をスライドさせる。
【００２３】
臥位検出器ユニット１５は、臥位撮影台１４によって支持される。臥位検出器ユニット１５は、臥位の患者からの透過Ｘ線を検出して画像データとして出力するＦＰＤを含むＸ線検出器（臥位検出器）１５ａを内蔵し、散乱線を除去するグリッドＧｎ（図５に図示）を臥位検出器１５ａの前面にセット可能な構造を有する。臥位検出器ユニット１５は、グリッドＧｎを支持し、グリッドＧｎを臥位検出器１５ａの前面に引き入れ又は前面から引き出し可能な引出部（グリッドトレイ）Ｔ（図６に図示）を有する。
【００２４】
図５は、グリッドＧｎの構成例を示す図である。
【００２５】
図５は、異なるＮ個のグリッドＧ１〜ＧＮ上の略同位置に、グリッドＧｎに対応するグリッド識別情報Ｓｎがそれぞれ付与される例を示す。図５では、グリッドＧ１の側面にグリッド識別情報Ｓ１を表現する青色シールが付与され、グリッドＧ２の側面にグリッド識別情報Ｓ２を表現する赤色シールが付与され、グリッドＧ３の側面にグリッド識別情報Ｓ３を表現する緑色シールが付与される。
【００２６】
図６は、臥位検出器ユニット１５の構造例を示す図である。
【００２７】
図６に示すように、臥位検出器ユニット１５は、Ｘ線検出器１５ａ（図２に図示）を内蔵し、引出部Ｔを介してグリッドＧｎをセット可能な構造を有する。臥位検出器ユニット１５の側面（引出部Ｔの引出面）に窓部Ｑが設けられる。そして、窓部Ｑは、臥位検出器ユニット１５にセットされたグリッドＧｎの一部が、窓部Ｑを介して外部から視認できる位置に形成される。図６では、グリッド識別情報Ｓ１を表現する青色シールが付与された、図５に示すグリッドＧ１が臥位検出器ユニット１５にセットされ、グリッドＧ１の青色シールが外部から視認できる位置に窓部Ｑが形成されている例を示す。なお、窓部Ｑは、四角形状に限定されるものではなく、また、立位検出器ユニット１３の縁部から切れ込まれるものであってもよい。
【００２８】
図１及び図２の説明に戻って、天井レール１６は、天井Ｃに敷設される。
【００２９】
台車部１７は、支柱部１８を介してＸ線管筐体１１を支持する。台車部１７は、天井レール１６に沿って移動可能なように天井レール１６に係合される。台車部１７は、画像処理装置３０のメイン制御装置３１による制御の下、Ｘ線管筐体１１が立位撮影台１２の側と臥位撮影台１４の側との間を移動可能である。すなわち、台車部１７は、Ｘ線管１１ａ（Ｘ線焦点）及び立位検出器１３ａの間の距離（ＳＩＤ：ｓｏｕｒｃｅ  ｉｍａｇｅ  ｒｅｃｅｐｔｏｒ  ｄｉｓｔａｎｃｅ）を変更可能である。なお、台車部１７は、天井レール１６に沿った方向と、その直交方向との水平方向に移動可能なように設置されてもよい。
【００３０】
支柱部１８は、台車部１７に支持され、その下端のＸ線管筐体１１を垂直・水平方向に回転自在に支持する。支柱部１８は、画像処理装置３０のメイン制御装置３１による制御の下、上下方向に伸縮自在である。すなわち、支柱部１８は、Ｘ線管１１ａ（Ｘ線焦点）及び臥位検出器１５ａの間の距離（ＳＩＤ）を変更可能である。
【００３１】
高電圧発生装置１９は、Ｘ線管１１ａに高電圧電力を供給する。
【００３２】
グリッド収納部２０は、Ｎ個のグリッドＧ１〜ＧＮ（Ｎ−１個のグリッドＧ１〜ＧＮ−１）を収納可能な構造を有し、検査室の壁や各種機器に支持される。
【００３３】
報知部２１は、画像処理装置３０のメイン制御装置３１による制御の下、検査室内又は制御室内に存する検査者に対して、検査に使用されるべきグリッドＧｎに関するグリッド識別情報Ｓｎを視覚的に及び／又は聴覚的に報知する。検査者にグリッド識別情報Ｓｎが視覚的に報知される場合、報知部２１は、検査室内のＸ線管筐体１１と、グリッド収納部２０と、制御室内の表示部３５の画面上とのうち少なくとも一方に設けられることが好適である。検査者にグリッド識別情報Ｓｎが聴覚的に報知される場合、報知部２１は、検査室内に設けられるスピーカである。
【００３４】
図７（ａ）〜（ｃ）は、Ｘ線管筐体１１上の報知部２１の構成例を示す図である。なお、グリッド収納部２０上の報知部２１の構成についても、図７（ａ）〜（ｃ）に示す報知部２１と同様の構成を有するものとして説明を省略する。
【００３５】
図７（ａ）〜（ｃ）に示す報知部２１は、青色ＬＥＤ（ｌｉｇｈｔ  ｅｍｉｔｔｉｎｇ  ｄｉｏｄｅ）、赤色ＬＥＤ、及び緑色ＬＥＤによって構成される。報知部２１は、Ｘ線管筐体１１上に、Ｘ線Ｂの照射口を有しない面に設けられる。図７（ａ）は、報知部２１の青色ＬＥＤのみが発光する場合を示している。図７（ｂ）は、報知部２１の赤色ＬＥＤのみが発光する場合を示している。図７（ｃ）は、報知部２１の緑色ＬＥＤのみが発光する場合を示している。
【００３６】
図７（ａ）〜（ｃ）に示すように、３色のＬＥＤのいずれかを発光させることで、図３に示す３種類のグリッドＧ１〜Ｇ３にそれぞれ付与されたグリッド識別情報Ｓ１〜Ｓ３を３色で表現することができる。なお、報知部２１は、３色のＬＥＤのいずれかの発光に限定されるものではないことは言うまでもない。３色のＬＥＤの発光の組み合わせにより７パターンを表現できるので、７種類のグリッドＧ１〜Ｇ７を３色のＬＥＤの発光の組み合わせで識別することもできる。その場合、第４のグリッドＧ４から第７のグリッドＧ７には、２色又は３色のシールが付与されることになる。
【００３７】
他の例として、報知部２１が１又は複数のフルカラーＬＥＤによって構成され、フルカラーＬＥＤが発光する色（色彩）に応じて複数種類のグリッド識別情報を表現することもできる。また、例えば、報知部２１が１又は複数のカラー蛍光灯（蛍光管用カラーフィルムが巻かれたもの）によって構成されたものであってもよい。さらに、例えば、報知部２１は、点灯による発光に限定されるものではなく、点滅によるものであってもよい。
【００３８】
図８は、表示部３５の画面上に配置される報知部２１の構成例を示す図である。
【００３９】
図８に示す報知部２１は、表示部３５の画面上に配置される。報知部２１は、表示部３５の画面に、検査に対応するグリッド識別情報Ｓｎを表現する色彩を、表示部２１の画面を介して報知する。図８は、報知部２１がグリッド識別情報Ｓ１を表現する青色を表示する場合を示している。
【００４０】
図８に示すように、報知部２１を３色のいずれかで表示させることで、図３に示す３種類のグリッドＧ１〜Ｇ３にそれぞれ付与されたグリッド識別情報Ｓ１〜Ｓ３を３色で表現することができる。なお、報知部２１は、３色のいずれかの表示に限定されるものではないことは言うまでもない。３色の並列表示の組み合わせにより７パターンを表現できるので、７種類のグリッドＧ１〜Ｇ７を３色のＬＥＤの発光の組み合わせで識別することもできる。その場合、第４のグリッドＧ４から第７のグリッドＧ７には、２色又は３色のシールが付与されることになる。
【００４１】
撮影コントローラ２２は、メイン制御装置３１による制御の下、モータ（図示しない）を介して台車部１７を水平方向に移動させ、支柱部１８を伸縮させることで撮影位置を設定し、高電圧発生装置１９を介してＸ線管１１ａからＸ線を照射させる。
【００４２】
ＡＤ変換装置２３は、メイン制御装置３１による制御の下、Ｘ線検出器１３ａ，１５ａから出力されるアナログ信号（ビデオ信号）をデジタル信号に変換する。
【００４３】
図１及び図２の説明に戻って、画像処理装置３０は、コンピュータをベースとして構成されており、Ｘ線診断装置１全体の動作制御や、撮影装置本体１０によって取得された複数のＸ線画像（Ｘ線画像データ）に関する画像処理等を行なう装置である。画像処理装置３０は、メイン制御装置３１、画像記憶部３２、初期情報記憶部３３、学習情報記憶部３４、表示部３５、入力部３６、及びＩＦ（ｉｎｔｅｒｆａｃｅ）３７を有する。なお、画像処理装置３０は、規格に応じた通信制御を行なう通信制御装置を設けてもよい。これにより、Ｘ線診断装置１は、通信制御装置を介してネットワーク網に接続することができる。
【００４４】
メイン制御装置３１は、図示しないＣＰＵ（ｃｅｎｔｒａｌ  ｐｒｏｃｅｓｓｉｎｇ  ｕｎｉｔ）及びメモリを備える。ＣＰＵは、半導体で構成された電子回路が複数の端子を持つパッケージに封入されている集積回路（ＬＳＩ）の構成をもつ制御装置である。メイン制御装置３１は、医師及び技師等のオペレータによって入力部３６が操作等されることにより指令が入力されると、メモリに記憶しているプログラムを実行する。メモリは、ＲＯＭ（ｒｅａｄ  ｏｎｌｙ  ｍｅｍｏｒｙ）及びＲＡＭ（ｒａｎｄｏｍ  ａｃｃｅｓｓ  ｍｅｍｏｒｙ）等を含む記憶部である。メモリは、ＩＰＬ（ｉｎｉｔｉａｌ  ｐｒｏｇｒａｍ  ｌｏａｄｉｎｇ）、ＢＩＯＳ（ｂａｓｉｃ  ｉｎｐｕｔ／ｏｕｔｐｕｔ  ｓｙｓｔｅｍ）及びデータを記憶したり、ＣＰＵのワークメモリやデータの一時的な記憶に用いたりする記憶部である。
【００４５】
記憶部３２〜３４は、例えば、磁性体を塗布又は蒸着した金属のディスクが読み取り装置（図示しない）に着脱不能で内蔵されている構成をもつＨＤＤ（ｈａｒｄ  ｄｉｓｋ  ｄｒｉｖｅ）である。画像記憶部３２は、メイン制御装置３１による制御の下、後述する各種画像データや、対応する撮影条件等を記憶する。
【００４６】
初期情報記憶部３３は、検査種別を決定するための検査種別情報にグリッドＧｎのグリッド識別情報Ｓｎが対応付けられた初期情報が予め登録される。
【００４７】
図９は、初期情報の一例を示す図である。
【００４８】
図９に示すように、検査種別情報が被検体の年齢（年齢区分）のみである場合、初期情報は、各年齢区分に、グリッドＧｎと、そのグリッド識別情報Ｓｎとが対応付けられてなる。ここで、図３に示すようにグリッドＧ１にグリッド識別情報Ｓｎを表現する青色シールが付与されていれば、初期情報は、グリッドＧ１のグリッド識別情報Ｓ１に「青色」が対応付けられてなる。図３に示すようにグリッドＧ２にグリッド識別情報Ｓ２を表現する赤色シールが付与されていれば、初期情報は、グリッドＧ２のグリッド識別情報Ｓ２に「赤色」が対応付けられてなる。図３に示すようにグリッドＧ３にグリッド識別情報Ｓ３を表現する緑色Ｓ３シールが付与されていれば、初期情報は、グリッドＧ３のグリッド識別情報Ｓ３に「緑色」が対応付けられてなる。
【００４９】
図１及び図２の説明に戻って、表示部３５は、液晶ディスプレイやＣＲＴ（ｃａｔｈｏｄｅ  ｒａｙ  ｔｕｂｅ）等によって構成される。表示部３５は、メイン制御装置３１による制御の下、ビデオ信号に基づいて、後述する各種画像データを種々のパラメータの文字情報や目盛等とともに表示する。また、表示部３５は、画面上に、グリッドＧｎに関するグリッド識別情報Ｓｎを報知する報知部２１（図８に図示）を設ける。
【００５０】
入力部３６としては、オペレータによって操作が可能なキーボード及びマウス等によって構成される。入力部３６による操作に従った入力信号は、メイン制御装置３１に送られる。
【００５１】
ＩＦ３７は、パラレル接続仕様やシリアル接続仕様に合わせたコネクタによって構成される。ＩＦ３７は、各規格に応じた通信制御を行なって、Ｘ線診断装置１をネットワークＮ網に接続させる。
【００５２】
図１０は、本実施形態に係るＸ線診断装置１の機能を示すブロック図である。
【００５３】
図２に示すメイン制御装置３１がプログラムを実行することによって、Ｘ線診断装置１は、図１０に示すように、検査予約情報取得手段４１、検査種別情報取得手段４２、学習情報登録手段４３、グリッド識別情報決定手段４４、報知制御手段４５、及び検査実行手段４６として機能する。なお、各部４１乃至４６は、Ｘ線診断装置１の機能として備えられるものとして説明するが、Ｘ線診断装置１にハードウェアとして備えられるものであってもよい。
【００５４】
検査予約情報取得手段４１は、ＩＦ３７を介して図示しないＭＷＭ（ｍｏｄａｌｉｔｙ  ｗｏｒｋｌｉｓｔ  ｍａｎａｇｅｍｅｎｔ）サーバなどから、検査予約情報を取得する機能を有する。検査予約情報には、検査対象（被検体）の患者情報（患者識別情報（ＩＤ：ｉｄｅｎｔｉｆｉｃａｔｉｏｎ）、年齢、身長、及び体重など）や、撮影条件（検査部位、ＳＩＤ、管電圧、管電流、及びＸ線照射時間など）が含まれている。
【００５５】
検査種別情報取得手段４２は、検査予約情報取得手段４１によって取得された検査予約情報のうちの１の検査に係る検査予約情報から、検査種別を決定するための検査種別情報を取得する機能を有する。検査種別情報取得手段４２は、検査種別情報取得手段４２が取得する検査種別情報として、被検体の年齢、身長、体重、検査部位、及びＳＩＤのうち少なくとも１つを取得する。
【００５６】
学習情報登録手段４３は、検査種別情報取得手段４２によって決定された検査種別情報に、入力部３６によって入力されたグリッドＧｎに関するグリッド識別情報Ｓｎと、検査者（入力者）の検査者識別情報（検査者ＩＤ）とが対応づけられてなる学習情報を登録する機能を有する。検査者は、入力部３６を介して、立位検出器ユニット１３又は臥位検出器ユニット１５にセットされているグリッドＧｎに関するグリッド識別情報（色彩シール）Ｓｎを窓部Ｐ，Ｑ（図４及び図６に図示）を介して視認して、検査前、検査中、又は検査後の次の検査前にグリッド識別情報Ｓｎを入力する。
【００５７】
図１１は、学習情報の一例を示す図である。
【００５８】
図１１に示すように、検査種別情報が被検体の年齢のみである場合、学習情報は、検査種別情報取得手段４２（図１０に図示）によって取得された年齢に相当する年齢区分（複数の年齢区分）に、検査者の検査者識別情報（検査者ＩＤ）と、入力されたグリッド識別情報Ｓｎとが対応付けられてなる。グリッド識別情報Ｓｎが入力されるごとに、学習情報が都度登録（新規登録又は更新登録）される。学習情報に、同一の年齢区分、かつ、同一の検査者ＩＤについて既にグリッド識別情報Ｓｎが存在する場合は更新登録される一方、存在しない場合は新規登録される。
【００５９】
図１０の説明に戻って、グリッド識別情報決定手段４４は、検査種別情報取得手段４２によって取得された検査種別情報に応じたグリッドに関するグリッド識別情報を決定する機能を有する。具体的には、グリッド識別情報決定手段４４は、初期情報記憶部３３に予め登録された初期情報に、検査種別情報取得手段４２によって取得された検査種別情報を参照して、グリッド識別情報Ｓｎを決定する。又は、グリッド識別情報決定手段４４は、初期情報記憶部３３に予め登録された初期情報、又は、学習情報記憶部３４に登録された学習情報に、検査種別情報取得手段４２によって取得された検査種別情報を参照して、グリッド識別情報Ｓｎを決定する。
【００６０】
報知制御手段４５は、グリッド識別情報決定手段４４によって決定されたグリッド識別情報Ｓｎを、報知部２１を介して検査者に視覚的に及び／又は聴覚的に報知させる機能を有する。
【００６１】
検査実行手段４６は、検査予約情報取得手段４１によって取得された検査予約情報のうち１の検査に係る検査予約情報の撮影条件に従って撮影コントローラ２２を介して撮影装置本体１０を制御して被検体の検査に対応する撮影を実行し、ＡＤ変換装置２３からＸ線画像データを発生する機能を有する。また、検査実行手段４６は、Ｘ線画像データを画像記憶部３２に記憶させたり、表示部３５を介して表示させたりする機能を有する。
【００６２】
なお、グリッド識別情報Ｓｎを識別するためにグリッド識別情報Ｓｎを色彩で表現される場合について説明したが、色彩で表現される場合に限定されるものではない。例えば、グリッド識別情報Ｓｎは、グリッドＧｎを識別するためのものであればよいので、色彩、番号、文字、及び記号並びにそれらの組み合わせなどによって表現されてもよい。それらの場合は、図７に示す報知部２１として、液晶ディスプレイやＬＥＤ数字表示器などを用いることが好適である。
【００６３】
続いて、図１、図２、及び図１２を用いて、本実施形態に係るＸ線診断装置１の動作について説明する。
【００６４】
図１２は、本実施形態に係るＸ線診断装置１の動作を示すフローチャートである。
【００６５】
Ｘ線診断装置１が動作する前に、初期情報が初期情報記憶部３３に予め登録される。図３及び図５に示すようにグリッドＧｎにグリッド識別情報Ｇｎを表現する色彩シールが付与される場合、図９に示す初期情報のグリッド識別情報Ｇ１に「青色」が対応付けられ、グリッド識別情報Ｇ２に「赤色」が対応付けられ、グリッド識別情報Ｇ３に「緑色」が対応付けられる。
【００６６】
次いで、Ｘ線診断装置１は、動作を開始する。Ｘ線診断装置１は、検査者による入力部３６を介した操作によって、検査者のＸ線診断装置１へのログインを許容する（ステップＳＴ１）。そして、Ｘ線診断装置１は、ＩＦ３７を介してＭＷＭサーバなどから、検査予約情報を取得する（ステップＳＴ２）。
【００６７】
Ｘ線診断装置１は、ステップＳＴ２によって取得された検査予約情報のうちの１の検査に係る検査予約情報から、検査種別を決定するための検査種別情報を取得する（ステップＳＴ３）。Ｘ線診断装置１は、ステップＳＴ１によってログインした検査者（ログイン者）について、ステップＳＴ３によって取得された検査種別情報に対応するグリッド識別情報Ｓｎが学習情報記憶部３４に登録されているか否かを判断する（ステップＳＴ４）。
【００６８】
ステップＳＴ４の判断にてＹＥＳ、すなわち、ログイン者について、ステップＳＴ３によって取得された検査種別情報に対応するグリッド識別情報Ｓｎが学習情報記憶部３４に登録されていると判断される場合、Ｘ線診断装置１は、学習情報記憶部３４から、ログイン者について、ステップＳＴ３によって取得された検査種別情報に対応するグリッド識別情報Ｓｎを取得する（ステップＳＴ５）。例えば、図１１に示す学習情報のように、ステップＳＴ１によるログイン者が、検査者ＩＤ「００１」であり、ステップＳＴ３によって取得された検査種別情報が、年齢区分「子供」である場合である。
【００６９】
Ｘ線診断装置１は、ステップＳＴ５によって決定されたグリッド識別情報Ｓｎを、報知部２１を介してログイン者に報知する（ステップＳＴ６）。例えば、ステップＳＴ５によって決定されたグリッド識別情報Ｓｎが検査者ＩＤ「００１」及び年齢区分「子供」に対応するグリッド識別情報Ｓ１（図１１に図示）である場合、Ｘ線診断装置１は、図７（ａ）に示すように報知部２１の青色ＬＥＤを発光させる。また、その場合、Ｘ線診断装置１は、図８に示す報知部２１を青色で表示することもできるし、報知部２１としてのスピーカから「あおいろ」という音声を発声させることもできる。
【００７０】
一方、ステップＳＴ４の判断にてＮＯ、すなわち、ログイン者について、ステップＳＴ３によって取得された検査種別情報に対応するグリッド識別情報Ｓｎが学習情報記憶部３４に登録されていないと判断される場合、Ｘ線診断装置１は、初期情報記憶部３３から、ステップＳＴ３によって取得された検査種別情報に対応するグリッド識別情報Ｓｎを取得する（ステップＳＴ７）。例えば、図１１に示す学習情報のように、ログイン者が、検査者ＩＤ「００３」であり、ステップＳＴ３によって取得された検査種別情報が、年齢区分「大人」である場合である。
【００７１】
Ｘ線診断装置１は、ステップＳＴ７によって決定されたグリッド識別情報Ｓｎを、報知部２１を介してログイン者に報知する（ステップＳＴ８）。例えば、ステップＳＴ７によって決定されたグリッド識別情報Ｓｎが年齢区分「大人」に対応するグリッド識別情報Ｓ２（図９に図示）である場合、Ｘ線診断装置１は、図７（ｂ）に示すように報知部２１の赤色ＬＥＤを発光させる。また、その場合、Ｘ線診断装置１は、図８に示す報知部２１を赤色で表示することもできるし、報知部２１としてのスピーカから「あかいろ」という音声を発声させることもできる。
【００７２】
ステップＳＴ６又はＳＴ８によるグリッド識別情報Ｓｎの報知後、ログイン者によって立位検出器ユニット１３又は臥位検出器ユニット１５に所要のグリッドＧｎがセットされる。ここで、ログイン者は、ステップＳＴ６又はＳＴ８で報知されたグリッド識別情報Ｇｎに対応するグリッドＧｎをセットする場合もあるが、報知されたグリッド識別情報Ｓｎに対応するグリッドＧｎとは意図的に異なるグリッドをセットする場合もある。
【００７３】
Ｘ線診断装置１は、ステップＳＴ２によって取得された検査予約情報の撮影条件に従って撮影コントローラ２２を介して撮影装置本体１０を制御して被検体の検査に対応する撮影を実行し（ステップＳＴ９）、ＡＤ変換装置２３からＸ線画像データを発生する。Ｘ線診断装置１は、Ｘ線画像データを画像記憶部３２に記憶させたり、表示部３５を介して表示させたりする（ステップＳＴ１０）。
【００７４】
ステップＳＴ９による撮影による検査終了後、ログイン者によって検査に使用されたグリッドＧｎに関するグリッド識別情報Ｓｎが入力部３６を介して入力される。Ｘ線診断装置１は、ステップＳＴ３によって取得された検査種別情報に、ログイン者によって入力されたグリッドＧｎに関するグリッド識別情報Ｓｎと、ログイン者の検査者ＩＤとが対応付けられてなる学習情報を登録する（ステップＳＴ１１）。
【００７５】
Ｘ線診断装置１は、ログイン者による入力部３６を介した操作によって、ログイン者をＸ線診断装置１からログオフさせるか否かを判断する（ステップＳＴ１２）。ステップＳＴ１２によってＹＥＳ、すなわち、ログイン者をＸ線診断装置１からログオフさせると判断される場合、Ｘ線診断装置１は、動作を終了する。一方、ステップＳＴ１２によってＮＯ、すなわち、ログイン者をＸ線診断装置１からログオフさせないと判断される場合、Ｘ線診断装置１は、ステップＳＴ２によって取得された検査予約情報のうちの次の検査に係る検査予約情報から、検査種別を決定するための検査種別情報を取得する（ステップＳＴ３）。
【００７６】
なお、図１２に示すＸ線診断装置１の動作では、ステップＳＴ４の判断にて、初期情報記憶部３３に予め登録された初期情報、又は、学習情報記憶部３４に登録された学習情報に、検査種別情報を参照して、グリッド識別情報Ｓｎを取得する場合を説明した。しかしながら、初期情報記憶部３３に予め登録された初期情報のみに、検査種別情報を参照してグリッド識別情報Ｓｎを取得してもよい。その場合、Ｘ線診断装置１の動作は、ステップＳＴ３の直後にステップＳＴ７に進み、ステップＳＴ１１が省略されるものとなる。
【００７７】
本実施形態のＸ線診断装置１によると、検査種別に応じたグリッドＧｎに関するグリッド識別情報Ｓｎを簡易で安価な方法で検査者に報知することができる。それにより、検査者によるグリッドＳｎ選択のばらつきも解消されるし、グリッドの選択ミスによる再検査の危険が解消される。
【００７８】
また、本実施形態のＸ線診断装置１によると、予め決定された初期情報に従ってグリッド識別情報Ｓｎを報知しながらも、初期情報に反して検査者の希望するグリッドＳｎを選択することができる。そして、検査者ごとの学習情報を登録することによって検査者ごとの希望に応じたグリッドの選択も可能となる。
【００７９】
さらに、窓部Ｐ，Ｑ（図４及び図６）を介して外部から、セットされているグリッドＳｎに関するグリッド識別情報Ｓｎを視認することができるので、セットされているグリッドＳｎの属性をいつでも確認することができる。
【００８０】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【００８１】
１  Ｘ線診断装置
１０  撮影装置本体
１１  Ｘ線管筐体
１２  立位撮影台
１３  立位検出器ユニット
１４  臥位撮影台
１５  臥位検出器ユニット
２０  グリッド収納部
２１  報知部
３０  画像処理装置（コンソール）
３１  メイン制御装置
３３  初期情報記憶部
３４  学習情報記憶部
３５  表示部
３６  入力部
４１  検査予約情報取得手段
４２  検査種別情報取得手段
４３  学習情報登録手段
４４  グリッド識別情報決定手段
４５  報知制御手段
４６  検査実行手段
【図１】
2016000162.tif 000003
【図２】
2016000162.tif 000004
【図３】
2016000162.tif 000005
【図４】
2016000162.tif 000006
【図５】
2016000162.tif 000007
【図６】
2016000162.tif 000008
【図７】
2016000162.tif 000009
【図８】
2016000162.tif 000010
【図９】
2016000162.tif 000011
【図１０】
2016000162.tif 000012
【図１１】
2016000162.tif 000013
【図１２】
2016000162.tif 000014